(57)【要約】【課題】テストプリントにおいて発生する用紙の余白を無駄にせず有効に活用して、装置の機能を使用する際に必要な装置の設置位置からのスペースを確認することができる画像記録装置を提供すること。【解決手段】記録メディア画像データＫＧと範囲画像データＨＧとが同じ用紙Ｐ上に記録されるように集約し、集約画像データＳＧ１を生成する（Ｓ２５）。集約画像データＳＧ１が用紙Ｐに記録される（Ｓ２９）。このため、テストプリントにおいて発生する用紙の余白を無駄にせず有効に活用して、装置の機能を使用する際に必要な装置の設置位置からのスペースを確認することができる。【選択図】図９
2011156681.tif 000002
【特許請求の範囲】
【請求項１】
記録用紙に画像を記録する記録部を備えた画像記録装置において、
当該装置の機能に応じたテスト画像を記憶する第１記憶部と、
前記第１記憶部に記憶されている前記テスト画像を前記記録部によって前記記録用紙に記録させるテストプリントを実行するテストプリント実行部と、
当該装置が搭載する機構を使用する場合に必要な当該装置からの範囲を示す範囲画像を記憶する第２記憶部と、
前記第１記憶部に記憶された当該機能に応じた前記テスト画像と前記第２記憶部に記憶された前記範囲画像とが同一の記録用紙上に記録されるように、両画像データを集約した集約画像を作成する集約部と、
前記テストプリント実行部によって当該装置の機能に応じたテストプリントが実行される場合に、前記集約部によって前記集約画像を作成させ、当該集約画像を前記記録部によって記録用紙に記録させる制御部と、
を備えたことを特徴する画像記録装置。
【請求項２】
前記制御部は、前記テストプリント実行部によって当該装置の最初のテストプリントが実行される場合に、前記集約部によって前記集約画像を作成させ、前記記録部によって当該集約画像を記録用紙に記録させることを特徴とする請求項１に記載の画像記録装置。
【請求項３】
前記記録部は、インクが吐出されることで記録用紙に画像が記録されるノズルを有し、
前記第１記憶部は、前記ノズルの詰まりをチェックするためのチェックパターン画像を記憶し、
前記制御部は、前記実行部によって前記ノズルの詰まりをチェックするテストプリントが実行される場合に、前記集約部によって前記チェックパターン画像と前記範囲画像とを集約した集約画像を作成させ、前記記録部によって当該集約画像を記録用紙に記録させることを特徴とする請求項１及び２に記載の画像記録装置。
【請求項４】
再度前記ノズルの詰まりをチェックするテストプリントを実行するか否かを判断する選択部を備え、
前記制御部は、前記判断部によって当該テストプリントを実行すると判断された場合は、前記チェックパターン画像のみを前記記録部によって記録用紙に記録させることを特徴とする請求項３に記載の画像記録装置。
【請求項５】
前記制御部は、記録ディスクの画像記録面に記録される記録ディスク画像を記録用紙に記録するテストプリントが実行される場合に、前記集約部によって前記記録ディスク画像と前記範囲画像とを集約した前記集約画像を作成させ、前記記録部によって当該集約画像を記録用紙に記録させることを特徴とする請求項１に記載の画像記録装置。
【請求項６】
当該装置が搭載する機構のうち、使用する場合に最も当該装置から突出する機構を選定する選定部と、
前記選定部によって選定された機構に対応する前記第２記憶部に記憶されている範囲画像を選択する選択部と、を備え、
前記制御部は、前記選択部によって選択された当該範囲画像を、前記集約部によって前記テスト画像と集約される範囲画像とすることを特徴とする請求項１乃至５のいずれかに記載の画像記録装置。
【請求項７】
前記機構は、薄板状の被記録媒体が載置された媒体トレイを搬送する搬送機構であり、
前記範囲画像は、前記媒体トレイの装置から搬送方向への突出範囲であることを特徴とする請求項１乃至６のいずれかに記載の画像記録装置。
【請求項８】
前記機構は、当該装置に搭載され、当該装置から突出しない第１姿勢と突出する第２姿勢とに姿勢変化可能な可動部であり、
前記範囲画像は、前記可動部が第２姿勢である場合の当該装置からの突出範囲であることを特徴とする請求項１乃至６のいずれかに記載の画像記録装置。
【請求項９】
前記可動部は、当該装置に搭載され、且つ、回動可能に支持され、第１姿勢のときに原稿を覆い、当該原稿に記録された画像を読み取る画像読取部である請求項８に記載の画像記録装置。
【請求項１０】
前記記録部に記録用紙を搬送する搬送部を、更に具備し、
前記可動部は、当該装置に回動可能に支持され、第２姿勢のときに上記搬送部を露出させるカバー部材である請求項８に記載の画像記録装置。
【請求項１１】
前記可動部は、当該装置の筐体に沿って起立する第１姿勢と当該装置から傾倒する第２姿勢とに姿勢変化可能であり、記録用紙を載置可能な用紙トレイである請求項８に記載の画像記録装置。
【発明の詳細な説明】
【技術分野】
【０００１】
本発明は、画像記録装置に関し、特に、テストプリントを行う画像記録装置に関する。
【背景技術】
【０００２】
従来から、装置の状態の確認や記録される画像の確認のために記録用紙にテストプリントを行う画像記録装置が知られている。このテストプリントによって、装置内の異常の発見や記録される画像の色や大きさを確認することができる。
【０００３】
引用文献１には、テストプリントにおいて、葉書に記録する画像を通常の用紙に記録することで、葉書に対する画像の位置や画像の色、濃度が確認できることが記載されている。
【０００４】
また、この種の画像記録装置において、テストプリントを行う機能の他に、スキャナ機能、コピー機能、及び、ＣＤやＤＶＤ等を専用のトレイに載置し、そのレーベル面に画像を記録するレーベル印刷機能等を有しているものもある。例えば、レーベル印刷機能において、特許文献２（第４実施例、図６４及び図６６）には、トレイ挿入口から搬送方向の第１向きに挿入されるＣＤやＤＶＤなどがセットされたトレイの先端が、装置後方の給紙装置よりも第１向きに搬送される画像記録装置が開示されている。
【先行技術文献】
【特許文献】
【０００５】
【特許文献１】特開２００６−１０２９９０号公報
【特許文献２】特開２００４−４２３９２号公報
【発明の概要】
【発明が解決しようとする課題】
【０００６】
しかしながら、特許文献１に記載の画像記録装置において、テストプリントで用紙に画像を記録した場合、ユーザが設定を行った画像のみしか用紙に記録されないため大きな余白が発生してしまい、用紙の余白が無駄になっていた。
【０００７】
特許文献２（第４実施例、図６４及び図６６）に記載された画像記録装置においては、トレイの先端が当該装置の外部まで搬送されるため、トレイの先端が設置された室の壁へ衝突するおそれがある。当該衝突を防止するために、装置はトレイのはみ出しの分だけ当該装置が設置された室の壁から離して設置する必要がある。このように、他の機能を使用する場合には、装置の設置位置からスペースを確保しておかなくてはならない場合がある。また、はみ出し分を確認するためには定規等の測定器具を用いて距離を確認しなければならない。しかしながら、はみ出し分を確認するために定規等の測定器具をわざわざ用意するのは不便である。
【０００８】
本発明は、上記問題に鑑みてなされたものであり、テストプリントにおいて発生する用紙の余白を無駄にせず有効に活用して、装置の機能を使用する際に必要な装置の設置位置からのスペースを確認することができる画像記録装置を提供することを目的とする。
【課題を解決するための手段】
【０００９】
この目的を達成するために、請求項１に記載の画像記録装置は、記録用紙に画像を記録する記録部を備えた画像記録装置において、当該装置の機能に応じたテスト画像を記憶する第１記憶部と、前記第１記憶部に記憶されている前記テスト画像を前記記録部によって前記記録用紙に記録させるテストプリントを実行するテストプリント実行部と、当該装置が搭載する機構を使用する場合に必要な当該装置からの範囲を示す範囲画像を記憶する第２記憶部と、前記第１記憶部に記憶された当該機能に応じた前記テスト画像と前記第２記憶部に記憶された前記範囲画像とが同一の記録用紙上に記録されるように、両画像データを集約した集約画像を作成する集約部と、前記テストプリント実行部によって当該装置の機能に応じたテストプリントが実行される場合に、前記集約部によって前記集約画像を作成させ、当該集約画像を前記記録部によって記録用紙に記録させる制御部と、を備えたことを特徴とするものである。
【００１０】
請求項２に記載の画像記録装置は、請求項１に記載の画像記録装置において、前記制御部は、前記テストプリント実行部によって当該装置の最初のテストプリントが実行される場合に、前記集約部によって前記集約画像を作成させ、前記記録部によって当該集約画像を記録用紙に記録させることを特徴とするものである。
【００１１】
請求項３に記載の画像記録装置は、請求項１または２に記載の画像記録装置において、前記記録部は、インクが吐出されることで記録用紙に画像が記録されるノズルを有し、前記第１記憶部は、前記ノズルの詰まりをチェックするためのチェックパターン画像を記憶し、前記制御部は、前記実行部によって前記ノズルの詰まりをチェックするテストプリントが実行される場合に、前記集約部によって前記チェックパターン画像と前記範囲画像とを集約した集約画像を作成させ、前記記録部によって当該集約画像を記録用紙に記録させることを特徴とするものである。
【００１２】
請求項４に記載の画像記録装置は、請求項３に記載の画像記録装置において、再度前記ノズルの詰まりをチェックするテストプリントを実行するか否かを判断する選択部を備え、前記制御部は、前記判断部によって当該テストプリントを実行すると判断された場合は、前記チェックパターン画像のみを前記記録部によって記録用紙に記録させることを特徴とすることを特徴とするものである。
【００１３】
請求項５に記載の画像記録装置は、請求項１及び２に記載の画像記録装置において、前記制御部は、記録ディスクの画像記録面に記録される記録ディスク画像を記録用紙に記録するテストプリントが実行される場合に、前記集約部によって前記記録ディスク画像と前記範囲画像とを集約した前記集約画像を作成させ、前記記録部によって当該集約画像を記録用紙に記録させることを特徴とするものである。
【００１４】
請求項６に記載の画像記録装置は、請求項１乃至５のいずれかに記載の画像記録装置において、当該装置が搭載する機構のうち、使用する場合に最も当該装置から突出する機構を選定する選定部と、前記選定部によって選定された機構に対応する前記第２記憶部に記憶されている範囲画像を選択する選択部と、を備え、前記制御部は、前記選択部によって選択された当該範囲画像を、前記集約部によって前記テスト画像と集約される範囲画像とすることを特徴とするものである。
【００１５】
請求項７に記載の画像記録装置は、請求項１乃至６のいずれかに記載の画像記録装置において、前記機構は、薄板状の被記録媒体が載置された媒体トレイを搬送する搬送機構であり、前記範囲画像は、前記媒体トレイの装置から搬送方向への突出範囲であることを特徴とすることを特徴とするものである。
【００１６】
請求項８に記載の画像記録装置は、請求項１乃至６のいずれかに記載の画像記録装置において、前記機構は、当該装置に搭載され、当該装置から突出しない第１姿勢と突出する第２姿勢とに姿勢変化可能な可動部であり、前記範囲画像は、前記可動部が第２姿勢である場合の当該装置からの突出範囲であることを特徴とするものである。
【００１７】
請求項９に記載の画像記録装置は、請求項８に記載の画像記録装置において、前記可動部は、当該装置に搭載され、且つ、回動可能に支持され、第１姿勢のときに原稿を覆い、当該原稿に記録された画像を読み取る画像読取部であることを特徴とするものである。
【００１８】
請求項１０に記載の画像記録装置は、請求項８に記載の画像記録装置において、前記記録部に記録用紙を搬送する搬送部を、更に具備し、前記可動部は、当該装置に回動可能に支持され、第２姿勢のときに上記搬送部を露出させるカバー部材であることを特徴とするものである。
【００１９】
請求項１１に記載の画像記録装置は、請求項８に記載の画像記録装置において、前記可動部は、当該装置の筐体に沿って起立する第１姿勢と当該装置から傾倒する第２姿勢とに姿勢変化可能であり、記録用紙を載置可能な用紙トレイであることを特徴とするものである。
【発明の効果】
【００２０】
請求項１に記載の発明によれば、テスト画像と範囲画像とを同一の記録用紙上に記録することで、テストプリントにおいて発生する用紙の余白を無駄にせず有効に活用して、装置の機能を使用する際に必要な装置の設置位置からのスペースを確認することができる。
【００２１】
請求項２に記載の発明によれば、最初のテストプリントにおいて集約画像を記録することで、最初のテストプリントにおいて発生する用紙の余白を無駄にせず有効に活用して、装置の最初の設置段階において、装置の機能を使用する際に必要な装置の設置位置からのスペースを確認することができる。
【００２２】
請求項３に記載の発明によれば、前記ノズルの詰まりをチェックするテストプリントが実行される場合に前記チェックパターン画像と前記範囲画像とを記録することで、テストプリントにおいて発生する用紙の余白を無駄にせず有効に活用して、装置の機能を使用する際に必要な装置の設置位置からのスペースを確認することができる。
【００２３】
請求項４に記載の発明によれば、再度前記ノズルの詰まりをチェックするテストプリントを実行する場合は、前記チェックパターン画像のみを記録することによって、インク消費の無駄を防ぐ。
【００２４】
請求項５に記載の発明によれば、記録ディスクの画像記録面に記録される記録ディスク画像を記録用紙に記録するテストプリントが実行される場合に前記記録ディスク画像と前記範囲画像とを記録することで、テストプリントにおいて発生する用紙の余白を無駄にせず有効に活用して、装置の機能を使用する際に必要な装置の設置位置からのスペースを確認することができる。
【００２５】
請求項６に記載の発明によれば、複合機１に備えられた各機構の中で一番突出する部材が選定され、一番突出する部材の距離を示す範囲画像がら選択され、選択された範囲画像が用紙に記録されることで、各種機構を有する様々な画像記録装置において、その装置にとって最適な範囲画像が記録される。
【００２６】
請求項７に記載の発明によれば、記録される範囲画像は、記録メディアが載置される媒体トレイの装置から搬送方向への突出範囲であるので、媒体トレイが複合機１を設置した室の壁などに衝突することを抑制できる。
【００２７】
請求項８に記載の発明によれば、記録される範囲画像は、可動部が第２姿勢である場合の当該装置からの突出範囲であるので、可動部が複合機１を設置した室の壁などに衝突することを抑制できる。
【００２８】
請求項９に記載の発明によれば、前記可動部は、当該装置に搭載され、且つ、回動可能に支持され、第１姿勢のときに原稿を覆い、当該原稿に記録された画像を読み取る画像読取部であるので、画像読取部の一部が複合機１を設置した室の壁などに衝突することを抑制できる。
【００２９】
請求項１０に記載の発明によれば、前記可動部は、当該装置に回動可能に支持され、第２姿勢のときに搬送部を露出させるカバー部材であるので、カバー部材の一部が複合機１を設置した室の壁などに衝突することを抑制できる。
【００３０】
請求項１１に記載の発明によれば、前記可動部は、当該装置の筐体に沿って起立する第１姿勢と当該装置から傾倒する第２姿勢とに姿勢変化可能であり、記録用紙を載置可能な用紙トレイであるので、用紙トレイの一部が複合機１を設置した室の壁などに衝突することを抑制できる。
【図面の簡単な説明】
【００３１】
【図１】本発明の実施形態の一例である複合機１の外観斜視図である。
【図２】プリンタ部２の内部構造を示す断面図である。
【図３】プリンタ部２の内部構造を示す部分断面図である。
【図４】画像記録部２４の機構を示す斜視図である。
【図５】原稿カバー７と装置背面５３の位置関係を模式的に示す複合機１の断面図である。
【図６】メディアトレイ７１と装置背面５３の位置関係を模式的に示す複合機１の断面図である。
【図７】制御部８０の構成を示すブロック図である。
【図８】複合機１のメイン処理を示すフローチャートである。
【図９】複合機１の記録メディアモード処理を示すフローチャートである。
【図１０】複合機１のピン抜けチェックモード処理を示すフローチャートである。
【図１１】複合機１の第２実施例のメイン処理を示すフローチャートである。
【図１２】（ａ）元画像データＧＧを概念的に示す図である。（ｂ）記録メディア画像データＫＧを概念的に示す図である。
【図１３】（ａ）用紙Ｐに記録された集約画像データＳＧ１を概念的に示す図である。（ｂ）用紙Ｐに記録された記録メディア画像データＫＧを概念的に示す図である。
【図１４】（ａ）用紙Ｐに記録された集約画像データＳＧ２概念的に示す図である。（ｂ）用紙Ｐに記録されたピン抜けチェック画像データＰＧを概念的に示す図である。
【図１５】（Ａ）スキャナ筐体８と装置背面５３の位置関係を模式的に示す複合機１の断面図である。（Ｂ）手差しトレイ５６と装置背面５３の位置関係を模式的に示す複合機１の断面図である。
【発明を実施するための形態】
【００３２】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００３３】
＜外観的構成＞
（複合機１の構成）
図１を参照して、本発明の一実施形態である複合機１を説明する。なお、本実施形態においては、矢印１３で示される方向が複合機１の幅方向（左右方向）であり、矢印１４で示される方向が複合機１の高さ方向（上下方向）であり、矢印１２で示される方向が複合機１の奥行き方向（前後方向）である。
【００３４】
複合機１は、下部に配設されたプリンタ部２と、プリンタ部２の上部に配設されたスキャナ部３（本発明の可動部の一例である画像読取部に相当）などを一体的に備えた多機能装置（MFD：Multi Function Device）である。スキャナ部３は、その上部に、複合機１の天板としての原稿カバー７を備えている。複合機１は、プリンタ機能、スキャナ機能、コピー機能及びファクシミリ機能などを有する。なお、本発明を実現するうえで、スキャナ機能やファクシミリ機能などは任意の機能であり、例えば、本発明に係る画像記録装置が、プリンタ機能のみを有するプリンタとして実施されてもよい。
【００３５】
複合機１の上面の前方側であって、スキャナ部３の正面側の上面には、プリンタ部２やスキャナ部３を操作するための操作パネル９が設けられている。操作パネル９は、各種操作ボタンや表示部１１から構成されており、複合機１は、操作パネル９からの入力に基づいて複合機１の動作を統括する制御部８０（本発明の制御部の一例、図７参照）により動作される。
【００３６】
スキャナ部３は、所謂フラットベッドスキャナとして構成されている。スキャナ部３の上部には、原稿カバー７が開閉自在に設けられている。原稿カバー７の下側には、プラテンガラス６（図５参照）を上面に備え、プラテンガラス６の下部にイメージセンサ（不図示）を備えたスキャナ筐体８（図５参照）が設けられている。プラテンガラス６に原稿が載置され、原稿カバー７がプラテンガラス６を覆った状態で、原稿の画像がイメージセンサによって読み取られる。
【００３７】
尚、原稿カバー７を開状態にした場合は、図５に示すように、原稿カバー７の一部が装置背面５３から距離Ｌ１突出する構成となっている。その為、スキャナ部３を使用する場合は、複合機１が設置される室の壁から距離Ｌ１分、複合機１を離して設置する必要がある。
【００３８】
＜内部構成＞
（プリンタ部２の構成）
以下、図１から図４が参照されながら、プリンタ部２の構成が詳細に説明される。図１に示されるように、プリンタ部２は、正面に開口４が形成されたケーシング５（本発明の筐体の一例）を有する。ケーシング５内にプリンタ部２の各構成要素が配設されている。
【００３９】
開口４を通じて、給紙トレイ２０及び排紙トレイ２１（図２参照）が複合機１に装着される。なお、図１では、給紙トレイ２０及び排紙トレイ２１が省略されている。給紙トレイ２０には、Ａ４サイズやＢ５サイズ等の所望のサイズの記録用紙が収容される。図２に示されるように、給紙トレイ２０が複合機１に装着されることにより、給紙トレイ２０に収容された記録用紙が、当該記録用紙の長手方向が複合機１の奥行き方向１２となるようにセットされる。また、排紙トレイ２１は、給紙トレイ２０に支持されて、給紙トレイ２０の上方に配置される。給紙トレイ２０と排紙トレイ２１とは、上下二段となって複合機１に装着される。
【００４０】
また、複合機１は、記録用紙の他に、ＣＤ−ＲＯＭやＤＶＤ−ＲＯＭなどの記録メディア（本発明の被記録媒体の一例）の盤面上に画像を記録する機能を有する。この機能については後述する。
【００４１】
（給紙部）
複合機１に装着された給紙トレイ２０の奥側には、分離傾斜板２２が配設されている。分離傾斜板２２は、給紙トレイ２０から繰り出された記録用紙を分離して上方へ案内するものである。
【００４２】
給紙トレイ２０の上側には、給紙ローラ２５が設けられている。給紙ローラ２５は、給紙トレイ２０に接離可能に上下動する給紙アーム２６の端部で軸支されている。給紙ローラ２５は、複数のギアが噛合されてなる駆動伝達機構２７によって、給紙モータ（図７参照）の駆動力が伝達されて回転する。給紙ローラ２５は、給紙トレイ２０上に積載された記録用紙を１枚ずつ分離して搬送路２３へ供給するものである。詳細には、給紙ローラ２５が給紙トレイ２０上の記録用紙に圧接して、その状態で、給紙ローラ２５が回転することにより、給紙ローラ２５のローラ面と記録用紙との間の摩擦力で最上位置の記録用紙が分離傾斜板２２へ送り出される。当該記録用紙は、その前端が分離傾斜板２２に当接して上方へ案内され、搬送路２３へ送り込まれる。
【００４３】
（搬送路２３）
分離傾斜板２２の上方には、搬送路２３が形成されている。搬送路２３は、分離傾斜板２２の上側から上方且つ複合機１の前側へ曲がって、複合機１の背面側（後側）から正面側（前側）へ延出され、さらに、駆動ローラ４７とピンチローラ４８で構成される搬送ローラ対５４による挟持位置、画像記録部２４の下側、及び駆動ローラ４９と拍車ローラ５０で構成される排出ローラ対５５による挟持位置を通過して排紙トレイ２１へ通じている。給紙トレイ２０から繰り出された記録用紙は、搬送路２３により下方から上方へＵターンするように案内されて画像記録部２４に至る。当該記録用紙は、画像記録部２４により画像記録が行われた後、排紙トレイ２１に排出される。搬送路２３は、画像記録部２４などが配設されている箇所以外は、所定間隔で対向する外側ガイド面２９と内側ガイド面２８によって形成されている。
【００４４】
以下、記録用紙などの被記録媒体が、搬送ローラ対５４による挟持位置から画像記録部２４の下側及び排出ローラ対５５による挟持位置を通過して排紙トレイ２１へ搬送される向きを搬送方向（第１搬送部の駆動によって被記録媒体が移動する方向）の第２向き１６（本発明の第２向きに相当）として説明を行う。一方、第２向きと逆向きを搬送方向の第１向き１５（本発明の第１向きに相当）として説明を行う。
【００４５】
（画像記録部２４）
画像記録部２４は、記録ヘッド３０を搭載して主走査方向（図２の紙面に垂直な方向）へ往復移動するキャリッジ３１を備えている。記録ヘッド３０は、キャリッジ３１の下側に露出されており、インクタンク３２（図３参照）からインクチューブ３３（図３参照）を通じてシアン（Ｃ）・マゼンタ（Ｍ）・イエロー（Ｙ）・ブラック（Ｂｋ）の各色インクが供給される。
【００４６】
記録ヘッド３０の下面には、複数のノズル３０１（本発明のノズルの一例）が形成されている。各色インクに対応するノズル３０１は、搬送方向に沿って一列に整列されており、各色インクに対応するノズル３０１の各列が、キャリッジ３１の往復動方向（左右方向１３）に並べられている。
【００４７】
記録ヘッド３０は、その下面に設けられたノズル３０１から、各インクを微小なインク滴として吐出する。キャリッジ３１が主走査方向へ往復動することにより、記録ヘッド３０が記録用紙に対して走査され、プラテン３４上を搬送される記録用紙に画像が記録される。
【００４８】
図３及び図４に示されるように、画像記録部２４が配置される搬送路２３の上側には、一対の平板状のガイドレール３５，３６が配設されている。ガイドレール３５，３６は、記録用紙の搬送向きに隔てて、搬送路２３の幅方向（左右方向１３）に延設されている。キャリッジ３１は、ガイドレール３５，３６を跨ぐようにして、ガイドレール３５，３６上を左右方向１３に摺動可能に設けられている。
【００４９】
ガイドレール３６の上面には、ベルト駆動機構３８が配設されている。ベルト駆動機構３８は、搬送路２３の幅方向１３の両端付近にそれぞれ設けられた駆動プーリ３９と従動プーリ４０との間に、内側に歯が設けられた無端環状のタイミングベルト４１が張架されてなるものである。駆動プーリ３９の軸にはキャリッジ（ＣＲ）駆動モータ３１１（不図示）が連結されており、ＣＲ駆動モータ３１１から駆動力が入力される。駆動プーリ３９の回転により、タイミングベルト４１が周運動する。なお、タイミングベルト４１は無端環状のもののほか、有端のベルトの両端部をキャリッジ３１に固着するものを用いてもよい。
【００５０】
タイミングベルト４１は、キャリッジ３１に固着されている。タイミングベルト４１の周運動により、キャリッジ３１は、端部３７を基準としてガイドレール３５，３６上を往復移動する。キャリッジ３１には、記録ヘッド３０が搭載されている。したがって、記録ヘッド３０は、キャリッジ３１とともに搬送路２３の幅方向１３を主走査方向として往復移動可能である。ガイドレール３６には、端部３７に沿ってリニアエンコーダのエンコーダストリップ４２が配設されている。リニアエンコーダは、フォトインタラプタ（不図示）によりエンコーダストリップ４２を検出する。リニアエンコーダの検出信号に基づいて、キャリッジ３１の往復移動が制御される。
【００５１】
図２から図４に示されるように、搬送路２３の下側には、記録ヘッド３０と対向してプラテン３４が配設されている。プラテン３４は、キャリッジ３１の往復移動範囲のうち、記録用紙が通過する中央部分に亘って配設されている。プラテン３４の幅は、搬送可能な記録用紙の最大幅より十分に大きいものであり、記録用紙の両端は常にプラテン３４の上を通過する。
【００５２】
（メディアセンサ１１０）
図２に示されるように、搬送路２３に搬送される記録媒体を検知するためのメディアセンサ１１０（本発明の検知部の一例）が複合機１に設けられている。メディアセンサ１１０は、キャリッジ３４の下面側における第１向き１５の最下流側付近に設けられている。メディアセンサ１１０は、発光ダイオードなどからなる発光部（不図示）と、光学式センサなどからなる受光部（不図示）とを具備する。メディアセンサ１１０の発光部は下方へ向けて光を照射し、メディアトレイ７１、記録メディア、またはプラテン３４で反射した反射光が受光部で受光される。
【００５３】
メディアセンサ１１０は、キャリッジ３１とともにスライドされる。プラテン３４上に記録媒体が支持されている状態でキャリッジ３１がスライドされると、当該スライドの過程において、メディアセンサ１１０は、プラテン３４の上面、メディアトレイ７１の上面、または記録媒体の上面からの反射光を受光する。
【００５４】
プラテン３４の上面を黒色などの反射率の低い色にしておくことによって、記録媒体からの反射光による受光部の検出値と、プラテン３４からの反射光による受光部の検出値とが異なる値となる。受光部における検出値は、制御部１３０に送られる。これにより、制御部１３０は、記録媒体の両端の位置についてのデータを得る。
【００５５】
（メンテナンス部）
図３に示されるように、記録ヘッド３０による画像記録範囲外、すなわちプラテン３４の両側の記録用紙が通過しない範囲には、パージ機構４３及び廃インクトレイ４４が配設されている。パージ機構４３は、記録ヘッド３０のノズル等からインクとともに気泡や異物を吸引除去するものである。パージ機構４３は、記録ヘッド３０のノズル面を覆うキャップ４５を備える。記録ヘッド３０の気泡等の吸引除去を行う際には、記録ヘッド３０がキャップ４５上に位置するようにキャリッジ３１が移動される。その状態でキャップ４５が上方へ移動して記録ヘッド３０の下面のノズル３０１を密閉するように密着する。そして、キャップ４５と連結されたポンプ（不図示）により記録ヘッド３０のノズル３０１からインクが吸引される。このインク吸引は、パージと呼ばれる。
【００５６】
廃インクトレイ４４は、キャリッジ３１の画像記録範囲外であってパージ機構４３の反対側に配設されている。廃インクトレイ４４は、記録ヘッド３０のインクの空吐出を受けるものである。この空吐出は、フラッシングと呼ばれる。
【００５７】
図３に示されるように、インクタンク３２は、プリンタ部２のケーシング５内部の正面右側に設けられたインクタンク収容部４６に収容されている。このインクタンク３２は、詳細には、シアン（Ｃ）・マゼンタ（Ｍ）・イエロー（Ｙ）・ブラック（Ｂｋ）の各色インクを貯蔵する４個のインクタンク３２Ｃ，３２Ｍ，３２Ｙ，３２Ｋを備えてなる。インクタンク３２からキャリッジ３１へは、各色について設けられたインクチューブ３３を通じてインクが供給される。
【００５８】
（搬送部）
図２及び図４に示されるように、画像記録部２４よりも第２向き１６の上流側には、搬送ローラ対５４が設けられている。搬送ローラ対５４は、駆動ローラ４７と該駆動ローラ４７の下方に駆動ローラ４７に接するように設けられたピンチローラ４８とが一体にユニット化されたものである。駆動ローラ４７が正転駆動されることで、給紙トレイ２０から給紙された記録用紙が駆動ローラ４７及びピンチローラ４８により狭持されて、第２向き１６の下流側のプラテン３４上へ搬送される。
【００５９】
画像記録部２４の第２向き１６の下流側には、駆動ローラ４９と該駆動ローラ４９の上方に設けられた拍車ローラ５０とを有する一対の排出ローラ対５５が設けられている。記録済みの記録用紙は、駆動ローラ４９及び拍車ローラ５０によって狭持され、駆動ローラ４９が正転駆動されることにより排紙トレイ２１へ排出する向き（第２向き１６）へ搬送される。また、駆動ローラ４９が逆転駆動されることにより、後述するメディアトレイ７１（本発明の媒体トレイの一例）が第１向き１５へ搬送される。なお、拍車ローラ５０は、記録済みの記録用紙と圧接するため、記録用紙に記録された画像を劣化させないようにローラ面が拍車状に凹凸に形成されている。
【００６０】
図４に示されるように、駆動ローラ４７は、駆動ローラ４７の軸方向の一端に連結された搬送モータ５９から駆動力が伝達されて、回転駆動される。駆動ローラ４９は、駆動ローラ４７より中間ギア５７及びベルト５８を介して駆動伝達されて、回転駆動される。また、駆動ローラ４７及び駆動ローラ４９はＡＳＩＣ８５（図７参照）に組み込まれた駆動回路により制御されることで、その回転方向が正転又は逆転のいずれかに切り換えられる。かかる回転方向の切換は、搬送モータ５９に対するスイッチング制御により、或いは、各ローラの回動軸に搬送モータ５９の回転力を伝達するギアなどを切り換えることにより行われる。
【００６１】
図４に示されるように、ロータリーエンコーダ（不図示）が、駆動ローラ４７に設けられたエンコーダディスク５１をフォトインタラプタ６０で検出し、該ロータリーエンコーダの検出信号に基づいて、駆動ローラ４７及び駆動ローラ４９の駆動が制御される。
【００６２】
図２に示されるように、記録用紙は、駆動ローラ４７及び駆動ローラ４９によって、所定の改行幅でプラテン３４上を間欠して第２向き１６に搬送される。その改行毎に記録ヘッド３０が走査されて、記録用紙の先端側から画像記録が行われる。記録ヘッド３０により記録用紙の所定領域に画像記録が行われた後に、駆動ローラ４９が連続的に回転駆動される。これにより、駆動ローラ４９及び拍車ローラ５０により狭持された記録用紙が排紙トレイ２１へ排出される。
【００６３】
（メディアトレイ７１）
上述したように、複合機１は、ＣＤ−ＲＯＭやＤＶＤ−ＲＯＭなどの記録メディアの盤面上に画像を記録する機能を有する。本実施形態においては、記録メディアの盤面上に画像が記録される場合、記録メディアはメディアトレイ７１に載置されて、メディアトレイ７１が複合機１の開口４から第１向き１５に挿入される。なお、記録メディアがメディアトレイ７１に載置されずに、記録メディア自体が複合機１の開口４から挿入されるように、複合機１が構成されていてもよい。
【００６４】
メディアトレイ７１は、樹脂などの剛性の高い物質で構成されており、上下方向１４の厚さが数ミリ（例えば２ｍｍ〜３ｍｍ）である。また、メディアトレイ７１は、搬送方向（奥行き方向１２）及び幅方向１３の長さが厚さ（高さ方向１４）よりも長く、搬送方向（奥行き方向１２）の長さが幅方向１３の長さよりも長い。つまり、メディアトレイ７１は、薄型の直方体である。メディアトレイ７１の上面には、円形状の凹みであって記録メディアが載置されるメディア載置部（不図示）が設けられている。
【００６５】
図２に示されるように、メディアトレイ７１が、図２の矢印の向き７７（第１向き１５）に、つまり複合機１の正面側の開口４から搬送路２３の直線部２３１に向けて挿入されると、図示しないセンサによりメディアトレイ７１の挿入が検出されて、駆動ローラ４９が逆転駆動される。これにより、メディアトレイ７１が、第１向き１５に所定位置まで搬送される。
【００６６】
所定位置は、図６に示されるように、メディアトレイ７１の第１向き１５の先端が装置背面５３からＬ２分突出した位置である。その為、メディアトレイ７１を搬送して、記録メディアの盤面上に画像を記録する場合は、複合機１が設置される室の壁から距離Ｌ２分、複合機１を離して設置する必要がある。
【００６７】
メディアトレイ７１が所定位置まで搬送されると、駆動ローラ４９の駆動が一旦停止された後、正転駆動に切り換えられる。これにより、メディアトレイ７１が第２向き１６に搬送され、メディアトレイ７１に載置された記録メディアが第２向き１６に搬送されながらプラテン３４上を通る。プラテン３４上に搬送された記録メディアに対して、記録ヘッド３０のノズル３０１からインク滴が吐出される。これにより、記録メディアの盤面上に画像が記録されて、メディアトレイ７１は最終的に排紙トレイ２１側から排出される。
【００６８】
＜電気的構成＞
次に、図７を参照して、複合機１の電気的構成について説明する。制御部８０は、複合機１の全体動作を制御するものである。
【００６９】
制御部８０は、演算処理を行うＣＰＵ８１、制御プログラム等が格納されたＲＯＭ８２、データの記憶領域又は作業領域として使用されるＲＡＭ８３、設定情報などが記憶されるＥＥＰＲＯＭ８４を主とするマイクロコンピュータとして構成されている。各構成要素は、バス８４を介してＡＳＩＣ８５に接続されている。
【００７０】
ＣＰＵ８１は、ＲＯＭ８２やＲＡＭ８３に記憶さている固定値やプログラムに従って、複合機１が有している各機能の制御や、ＡＳＩＣ８５と接続された各部を制御するものである。尚、ＣＰＵ８１は、本発明の制御部の一例である。
【００７１】
ＲＯＭ８２は、複合機１で実行される制御プログラムなどを格納した書換不能なメモリである。例えば、テストプリントにおいて、記録メディアに記録する画像を用紙Ｐに記録して画像を確認する記録メディアモードや、記録ヘッド３１のノズル３０１の詰まりを確認するピン抜けチェック画像を用紙Ｐに記録してノズル３０１の詰まりを確認するピン抜けチェックモードや、その他のテストプリントモードを備えるメイン処理（図８）、記録メディアモードにおいて、用紙Ｐに記録メディア画像データＫＧと範囲画像ＨＧとを記録する記録メディアモード処理（図９）、ピン抜けチェックモードにおいて、用紙Ｐにピン抜けチェック画像データＰＧと範囲画像ＨＧとを記録するピン抜けチェックモード処理（図１０）は、このＲＯＭ８２に格納されている。また、後述する第２実施例である、電源ＯＮ時において、チェック画像データＰＧと範囲画像ＨＧとを記録する電源ＯＮモード処理（図１１）も、このＲＯＭ８２に格納されている。
【００７２】
また、ＲＯＭ８２は、ピン抜けチェック画像データメモリ８２ａが設けられている。ピン抜けチェック画像データメモリ８２ａには、記録ヘッドのノズルの詰まりを確認するためのピン抜けチェック画像データが格納されており、例えば、後述する、ピン抜けチェック画像データＰＧ（図１４）が格納されている。ピン抜けチェック画像データメモリ８２ａは、本発明の第１記憶部の一例である。ピン抜けチェック画像データＰＧは、記録ヘッド３０の下面に形成されたシアン（Ｃ）・マゼンタ（Ｍ）・イエロー（Ｙ）・ブラック（Ｂｋ）の各色のインクに対応するノズル３０１から各色のインクが吐出されて、各色のノズル３０１に対応したピン抜けチェックパターン画像が用紙Ｐに記録される。
【００７３】
また、ＲＯＭ８２は、範囲画像データメモリ８２ｂが設けられている。範囲画像データメモリ８２ｂには、複合機１の機能を使用する際に、複合機１の設置位置から、複合機１が設置される室の壁まで離す必要がある距離を示す範囲画像データが格納されており、例えば、後述する、範囲画像データＨＧ（図１３）が格納されている。範囲画像データＨＧは、本発明の範囲画像の一例である。範囲画像データＨＧとしては、上述した、スキャナ部３を使用する際に、原稿カバー７を開状態にした場合（図５）に、原稿カバー７の一部が装置背面５３から突出する距離Ｌ１を示す画像データや、記録メディアの記録面に画像を記録する際に、メディアトレイ７１を所定位置まで搬送した場合（図６）の、メディアトレイ７１の第１向き１５の先端が装置背面５３から突出する距離Ｌ２を示す画像データである。
【００７４】
ＲＡＭ８３は、ＣＰＵ８１が各プログラムを実行する際に用いる各種データを一時的に記憶する記憶領域として、また作業領域として用いられる。またＲＡＭ８３には、使用画像データメモリ８３ａ、テスト画像データメモリ８３ｂ、集約画像データメモリ８３ｃの各記憶領域が割り当てられている。
【００７５】
使用画像データメモリ８３ａは、例えば、記録メディア印刷のテストプリントにおいて、用紙Ｐに記録する記録メディア画像ＫＧを抽出するための画像データを一時的に記憶する領域である。テスト画像データメモリ８３ｂは、記録用紙に記録するテストプリントを行う画像データを一時的に記憶する領域である。集約画像データメモリ８３ｃは、テストプリントにおいて、用紙Ｐに記録する集約画像データＳＧを一時的に記憶する領域である。テスト画像データメモリ８３ａは、本発明の第１記憶部の一例である。
【００７６】
ＥＥＰＲＯＭ８７は、電源オフ後も保持すべき設定やフラグ等を格納する。例えば、スロット部５０から取り込まれた画像データを保存できる。これにより、一度取り込んだ画像データを繰り返し使用することができる。
【００７７】
ＡＳＩＣ８５は、ＣＰＵ８１からの指令に従い、接続されている周辺機器を制御するものである。ＡＳＩＣ８５には、操作パネル９、給紙モータ７６、ＣＲ駆動モータ３３１及び搬送モータ５９などが接続されている。ＡＳＩＣにはモータを制御する駆動回路がモータ毎に組み込まれている。ＣＰＵ８１から所定のモータに応じた駆動回路に各モータを回転させるための駆動信号が入力されると、駆動信号に応じた駆動電流が駆動回路から対応するモータへ出力され、これにより、対応するモータが所定の回転速度で正転又は逆転する。
【００７８】
＜実施形態の動作＞
次に、本実施形態の複合機１の動作について、図８乃至図１０のフローチャート、図１２乃至図１４を参照して説明する。
【００７９】
まず、図８のフローチャートを参照して、複合機１のＣＰＵ８１により実行されるメイン処理について説明する。このメイン処理は、ユーザによる操作パネル９の操作を介して、プリンタ機能、スキャナ機能、及び、コピー機能等の各種機能の中で、プリント機能が選択された場合に実行される処理である。特に、メイン処理では、テストプリントにおいて、テストプリントを行う画像と複合機１の設置位置から設置される室の壁までの距離を示す範囲画像とを１枚の用紙に記録することで、テストプリントにおいて発生する用紙の余白を無駄にせず有効に活用して、装置の機能を使用する際に必要な装置の設置位置からのスペースを確認することができる処理を含んでいる。
【００８０】
このメイン処理では、まず、テストプリントを実行するかが判断される（ステップ１、以下ステップをＳと記す）。本実施形態では、ユーザによってプリント機能が選択されると、表示部１１には、通常記録を実行するかテストプリントを実行するかを指定する要求が表示され、操作パネル９の操作を介してテストプリントの実行が選択されたかが判断される。テストプリントが指定されない場合には（Ｓ１：ＮＯ）、通常の記録用紙の印刷が実行され（Ｓ７）、本メイン処理を終了する。
【００８１】
テストプリントが指定されると（Ｓ１：ＹＥＳ）、表示部１１に、各テストプリントモードからどのテストプリントを実行するかを指定する要求が表示され、操作パネル９の操作を介して記録メディア印刷用のテストプリントモードが選択されたかが判断される（Ｓ２）。記録メディア用のテストプリントが選択された場合は（Ｓ２：ＹＥＳ）、後述する記録メディアモード処理が実行され（Ｓ３）、本メイン処理を終了する。
【００８２】
記録メディア印刷用のテストプリントが選択されなかった場合は（Ｓ２：ＮＯ）、ピン抜けチェック用のテストプリントが選択されたかが判断される（Ｓ４）。ピン抜けチェック用のテストプリントが選択された場合は（Ｓ４：ＹＥＳ）、後述するピン抜けチェックモード処理が実行され（Ｓ５）、本メイン処理を終了する。
【００８３】
ピン抜けチェック用のテストプリントが選択されなかった場合は（Ｓ４：ＮＯ）、その他のテストプリントが実行され（Ｓ６）、本メイン処理を終了する。その他のテストプリントとは、例えば、キャリッジの記録位置を調整する罫線調整のテストプリントを実行する処理等である。
【００８４】
（記録メディアモード処理）
複合機１の記録メディアモード処理（図８のステップＳ３）の詳細について、図９のフローチャートを参照して説明する。
【００８５】
この記録メディアモード処理では、記録メディア印刷用のテストプリントに使用する画像データの候補が表示部１１に表示される（Ｓ２０）。表示される画像データとは、例えば、スキャナ部３で原稿から読み取った画像や、ＥＥＰＲＯＭ８７に記憶されている画像である。
【００８６】
その表示部１１により表示されている画像データの中から記録メディア印刷用の画像として使用する画像データが選択されるまで待機し（Ｓ２１：ＮＯ）、画像データが選択されると（Ｓ２１：ＹＥＳ）、その選択された画像データから円形の記録メディア画像データＫＧが生成される（Ｓ２２）。本実施形態においては、ステップＳ２１において、図１２（ａ）に示す元画像データＧＧが選択され、ステップＳ２２において、元画像データＧＧ上の領域のトリミング処理によって切り取られた円形の範囲から図１２（ｂ）に示す、記録メディア画像データＫＧが生成される。そして、ステップＳ２２において生成された記録メディア画像データＫＧがテスト画像データメモリ８３ｂに記憶される（Ｓ２３）。
【００８７】
用紙Ｐに記録メディア画像データＫＧと範囲画像データＨＧとを記録するか否かが判断される（Ｓ２４）。記録メディア画像データＫＧと範囲画像データＨＧとを記録すると判断された場合は（Ｓ２４：ＹＥＳ）、記録メディア画像データＫＧと範囲画像データＨＧとが同じ用紙Ｐ上に記録されるように集約し、図１３（ａ）に示す、集約画像データＳＧ１を生成する（Ｓ２５）。尚、ステップＳ３５は、本発明の集約部の一例である。次に、集約画像データＳＧ１を集約画像データメモリ８３ｃに記憶する（Ｓ２６）。集約画像データＳＧ１を表示部１１に表示し（Ｓ２７）、ユーザが操作パネル９を介して「記録ＯＫ」を入力したか否かが判断される（Ｓ２８）。「記録ＯＫ」の入力がない場合には（Ｓ２８：ＮＯ）、ステップＳ２０からの処理が繰り返され、「記録ＯＫ」の入力があった場合には（Ｓ２８：ＹＥＳ）、表示部１１に表示されている画像が用紙Ｐに記録される（Ｓ２９）。そして、本メイン処理を終了する。本実施形態においては、ステップＳ２９において、集約画像データＳＧ１が用紙Ｐに記録されると、図１３（ａ）に示す用紙Ｐが作成される。また、範囲画像データＨＧを用紙Ｐに記録する場合は、メディアセンサ１１０によって用紙Ｐの側端を検知し、その検知結果に基づいて、用紙Ｐの側端を基準として範囲画像データＨＧが記録される。
【００８８】
記録される範囲画像としては、複合機１に備えられた各機能を使用する際の、各機能に応じた装置背面５３から突出する部材の装置背面５３からの距離を示す画像を全て記録しても良い。
【００８９】
また、装置背面５３から一番突出する部材の装置背面５３からの距離を示す画像のみが記録されても良い。例えば、上述した、スキャナ部３を使用する際に、原稿カバー７を開状態にした場合（図５）に、原稿カバー７の一部が装置背面５３から突出する距離Ｌ１よりも、記録メディアの記録面に画像を記録する際に、メディアトレイ７１を所定位置まで搬送した場合の、メディアトレイ７１の第１向き１５の先端が装置背面５３から突出する距離Ｌ２の方が大きい場合は、距離Ｌ２を示す範囲画像のみが記録される。更に、制御部８０によって、複合機１に備えられた各機構の中で一番突出する部材が選定（本発明の選定部の一例）され、一番突出する部材の距離を示す範囲画像が範囲画像データメモリ８２ｂから選択（本発明の選択部の一例）され、選択された範囲画像が用紙に記録されても良い。これにより、各種機構を有する様々な画像記録装置において、その装置にとって最適な範囲画像が記録される。
【００９０】
また、装置背面５３からの距離だけでなく、装置側面からの距離を示す範囲画像を記録しても良い。例えば、上述した、スキャナ部３の原稿カバーが、装置側面を軸として開閉状態に姿勢変化可能に設けられている場合、原稿カバー７を開状態にすると、原稿カバー７の一部が装置側面から距離Ｌ１突出する構成となる。その為、スキャナ部３を使用する場合は、複合機１の側面から設置される室の壁まで距離Ｌ１分、複合機１を離して設置する必要がある。この場合、図１４（ａ）に示す範囲画像データＨＧの様な範囲画像が記録される。
【００９１】
ステップＳ２４において、記録メディア画像データＫＧと範囲画像データＨＧとを記録しないと判断された場合は（Ｓ２４：ＮＯ）、記録メディア画像データＫＧを表示部１１に表示し（Ｓ３０）、上述したステップＳ２８以降の処理に進む。本実施形態において、ステップＳ２９において、記録メディア画像データＫＧが用紙Ｐに記録されると、図１３（ｂ）に示す用紙Ｐが作成される。
【００９２】
（ピン抜けチェックモード処理）
複合機１のピン抜けチェックモード処理（図８のステップＳ５）の詳細について、図１０のフローチャートを参照して説明する。
【００９３】
このピン抜けチェックモード処理では、用紙Ｐにピン抜けチェック画像データメモリ８２ａに記憶されているピン抜けチェック画像データＰＧと範囲画像データメモリ８２ｂに記憶されている範囲画像データＨＧとを記録するか否かが判断される（Ｓ４０）。ピン抜けチェック画像データＰＧと範囲画像データＨＧとを記録すると判断された場合は（Ｓ４０：ＹＥＳ）、ピン抜けチェック画像データＰＧと範囲画像データＨＧとが同じ用紙Ｐ上に記録されるように集約し、図１４（ａ）に示す、集約画像データＳＧ２を生成する（Ｓ４１）。尚、ステップＳ４２は、本発明の集約部の一例である。次に、集約画像データＳＧ２を集約画像データメモリ８３ｃに記憶する（Ｓ４２）。集約画像データメモリ８３ｃに記憶された集約画像データＳＧ２を用紙Ｐに記録する（Ｓ４３）。本実施形態においては、ステップＳ４４において、集約画像データＳＧ２が用紙Ｐに記録されると、図１４（ａ）に示す用紙Ｐが作成される。また、上述したように、範囲画像データＨＧを用紙Ｐに記録する場合は、メディアセンサ１１０によって用紙Ｐの側端を検知し、その検知結果に基づいて、用紙Ｐの側端を基準として範囲画像データＨＧが記録される。
【００９４】
ピン抜けチェック画像データＰＧのみを記録すると判断された場合は（Ｓ４０：ＮＯ）、ステップＳ４３に進み、ピン抜けチェック画像データメモリ８２ａに記憶されているン抜けチェック画像データＰＧのみを用紙Ｐに記録する（Ｓ４３）。本実施形態においては、ステップＳ４３において、ピン抜けチェック画像データＰＧのみが用紙Ｐに記録されると、図１４（ｂ）に示す用紙Ｐが作成される。
【００９５】
次に、用紙Ｐに記録されたピン抜けチェック画像データＰＧが正常に記録されているか否かが判断される（Ｓ４４）。これは、記録ヘッド３０のノズル３０１のインク詰まりによってピン抜けチェック画像データＰＧが正しく記録されない場合があるためである。尚、本実施形態においては、正常か否かの判断はユーザの目視によって判断されるとする。
【００９６】
用紙Ｐに記録されたピン抜けチェック画像データＰＧの記録が正常だと判断された場合は（Ｓ４４：ＹＥＳ）、本メイン処理を終了する。用紙Ｐに記録されたピン抜けチェック画像データＰＧの記録が正常でないと判断された場合はがない場合には（Ｓ４４：ＮＯ）、上述したパージ及びフラッシングが実行され、記録ヘッド３０のメンテナンスが行われる（Ｓ４５）。ステップＳ４５において、記録ヘッド３０のメンテナンスが実行されると、ピン抜けチェック画像データＰＧのみの用紙Ｐへの記録が行われ（Ｓ４６）、ステップＳ４４に戻る。本実施形態において、ステップＳ４６において、ピン抜けチェック画像データＰＧのみが用紙Ｐに記録されると、図１４（ｂ）に示す用紙Ｐが作成される。
【００９７】
（第２実施例）
次に、本実施形態の複合機１の第２実施例の動作について、図１１のフローチャートを参照して説明する。
【００９８】
まず、図１１のフローチャートを参照して、複合機１のＣＰＵ８１により実行される変形例の処理について説明する。この処理は、複合機１が電源ＯＦＦ状態から電源ＯＮ状態になった場合に実行される処理である。特に、メイン処理では、複合機１の電源ＯＮ時において、ピン抜けチェック画像と複合機１の設置位置から設置される室の壁までの距離を示す範囲画像とを１枚の用紙に記録することで、テストプリントにおいて発生する用紙の余白を無駄にせず有効に活用して、装置の機能を使用する際に必要な装置の設置位置からのスペースを確認することができる処理を含んでいる。
【００９９】
このメイン処理では、まず、初めて電源がＯＮされたかが判断される（Ｓ５０）。電源ＯＮ状態が初めてではない場合には（Ｓ５０：ＮＯ）、印刷等その他の処理が実行され、本メイン処理を終了する。
【０１００】
電源ＯＮ状態が初めての場合は（Ｓ５０：ＹＥＳ）、ピン抜けチェック画像データＰＧと範囲画像データＨＧとが同じ用紙Ｐ上に記録されるように集約し、図１４（ａ）に示す、集約画像データＳＧ２を生成する（Ｓ５１）。尚、ステップＳ５１は、本発明の集約部の一例である。次に、集約画像データＳＧ２を集約画像データメモリ８３ｃに記憶する（Ｓ５２）。集約画像データメモリ８３ｃに記憶された集約画像データＳＧ２を用紙Ｐに記録する（Ｓ５３）。本実施形態においては、ステップＳ５３において、集約画像データＳＧ２が用紙Ｐに記録されると、図１４（ａ）に示す用紙Ｐが作成される。また、上述したように、範囲画像データＨＧを用紙Ｐに記録する場合は、メディアセンサ１１０によって用紙Ｐの側端を検知し、その検知結果に基づいて、用紙Ｐの側端を基準として範囲画像データＨＧが記録される。
【０１０１】
次に、用紙Ｐに記録されたピン抜けチェック画像データＰＧが正常に記録されているか否かが判断される（Ｓ５４）。これは、上述したように、記録ヘッド３０のノズル３０１のインク詰まりによってピン抜けチェック画像データＰＧが正しく記録されない場合があるためである。尚、本実施形態においては、正常か否かの判断はユーザの目視によって判断されるとする。
【０１０２】
用紙Ｐに記録されたピン抜けチェック画像データＰＧの記録が正常だと判断された場合は（Ｓ５４：ＹＥＳ）、本メイン処理を終了する。用紙Ｐに記録されたピン抜けチェック画像データＰＧの記録が正常でないと判断された場合はがない場合には（Ｓ５４：ＮＯ）、上述したパージ及びフラッシングが実行され、記録ヘッド３０のメンテナンスが行われる（Ｓ５５）。ステップＳ５５において、記録ヘッド３０のメンテナンスが実行されると、ピン抜けチェック画像データＰＧのみの用紙Ｐへの記録が行われ（Ｓ５６）、ステップＳ５４に戻る。本実施形態において、ステップＳ４７において、ピン抜けチェック画像データＰＧのみが用紙Ｐに記録されると、図１４（ｂ）に示す用紙Ｐが作成される。
【０１０３】
（実施例の変形例１）
複合機１には、複合機１からの突出が小さい第１姿勢（本発明の第１姿勢の相当）と突出が大きい第２姿勢（本発明の第２姿勢の相当）とに姿勢変化可能な可動部（本発明の可動部に相当）を搭載してもよい。この場合、可動部を第２姿勢にした場合は、可動部の一部が装置背面５３から突出する構成となっている。その為、可動部を使用する場合は、複合機１が設置される室の壁からその突出分、複合機１を離して設置する必要がある。
【０１０４】
例えば、可動部は、スキャナ部３のスキャナ筐体８（本発明のカバー部材の一例）であってもよい。図１５（Ａ）に示されるように、スキャナ筐体８は、ケーシング５の上面に対して開閉可能なように複合機１の後方側で蝶番８１などの支持機構によって回動可能に支持されている。これにより、スキャナ筐体８は、ケーシング５の上面を覆う閉姿勢（本発明の第１姿勢の一例、図１に示される姿勢）とケーシング５の上面から上方へ開いた開姿勢（本発明の第２姿勢の一例、図１５（Ａ）に示される姿勢）との間で回動可能となる。図１５（Ａ）においては、ケーシング５の上面は開放されている。そのため、スキャナ筐体８が図１５（Ａ）に示されるように上方へ開けられてケーシング５の上面が露出されると、ユーザは、ケーシング５の上面から搬送ローラ対５４などの内部へアクセスすることが可能となる。そして、ユーザは、プリンタ部２内の構成要素のメンテナンスやジャム処理などを行うことが可能となる。
【０１０５】
尚、スキャナ筐体８を第２姿勢にした場合は、図１５（Ａ）に示すように、スキャナ筐体８の一部が装置背面５３から距離Ｌ３突出する構成となっている。その為、スキャナ筐体８を開姿勢にする場合は、複合機１が設置される室の壁から距離Ｌ３分、複合機１を離して設置する必要がある。
【０１０６】
この場合、範囲画像データメモリ８２ｂには、可動部を第２姿勢にした場合に、可動部の一部が装置背面５３から突出する距離を示す画像データや、スキャナ筐体８の使用する際に、スキャナ筐体８の一部が装置背面５３から突出する距離Ｌ３を示す画像データが記憶される。
【０１０７】
（実施例の変形例２）
変形例１で説明した可動部の別の例として、可動部は、回動可能に配置された手差しトレイ５６（本発明の用紙トレイの一例）であってもよい。例えば、図１５（Ｂ）に示されるように、複合機１の背面５３に対して開閉可能なように複合機１の後方側且つ手差しトレイ５６の下端部で蝶番５６３などの支持機構によって回動可能に支持されている。これにより、手差しトレイ５６は、実線で示される第２姿勢（本発明の第２姿勢の一例）と、破線で示される第１姿勢（本発明の第１姿勢の一例）とに姿勢変化される。手差しトレイ５６は、第１姿勢をとっているとき、背面５３に沿って起立する。また、手差しトレイ５６は、第２姿勢をとっているとき、背面５３から更に後方側へ斜め上方に傾倒している。手差しトレイ５６には、第２姿勢において、各種サイズの記録用紙を載置可能である。第２の搬送路２３３及び開口５６１（図１５（Ｂ）では不図示）が形成されており、手差しトレイ５６が第２姿勢をとっているときに、複合機１のユーザによって、記録用紙が挿入される。
【０１０８】
尚、手差しトレイ５６を第２姿勢にした場合は、図１５（Ｂ）に示すように、手差しトレイ５６の一部が装置背面５３から距離Ｌ４突出する構成となっている。その為、手差しトレイ５６を使用する場合は、複合機１が設置される室の壁から距離Ｌ４分、複合機１を離して設置する必要がある。
【０１０９】
この場合、範囲画像データメモリ８２ｂには、手差しトレイ５６の使用する際に、手差しトレイ５７の一部が装置背面５３から突出する距離Ｌ４を示す画像データが記憶される。
【０１１０】
複合機１には、姿勢変化可能な可動部が搭載されていることがある。その場合、複合機１は、当該可能部が如何なる姿勢をとったとしても複合機１を設置した室の壁などに接触しないように設置される。なお、可動部は、例えば、スキャナ部３、変形例１で記したスキャナ筐体８、及び、変形例２で記した回動可能な手差しトレイ５６である複合機１には、これらの可動部が複数搭載されることもある。また、記録メディアを載置可能なメディアトレイ７１を搬送可能であり、記録メディアの記録面に画像を記録することができる。上述したとおり、本発明では、テストプリントにおいて、テストプリント画像と範囲画像とが１枚の用紙Ｐに記録される。その為、テストプリントにおいて発生する用紙の余白を無駄にせず有効に活用して、装置の機能を使用する際に必要な装置の設置位置からのスペースを確認することができる。したがって、可動部やメディアトレイ７１が複合機１を設置した室の壁などに衝突することを抑制できる。
【符号の説明】
【０１１１】
１      複合機
２４    画像記録部
８０    制御部
８２ａ  ピン抜けチェック画像データメモリ
８２ｂ  範囲画像データメモリ
８３ｂ  テスト画像データメモリ
８３ｃ  集約画像データメモリ
【図１】
2011156681.tif 000003
【図２】
2011156681.tif 000004
【図３】
2011156681.tif 000005
【図４】
2011156681.tif 000006
【図５】
2011156681.tif 000007
【図６】
2011156681.tif 000008
【図７】
2011156681.tif 000009
【図８】
2011156681.tif 000010
【図９】
2011156681.tif 000011
【図１０】
2011156681.tif 000012
【図１１】
2011156681.tif 000013
【図１５】
2011156681.tif 000014
【図１２】
2011156681.tif 000015
【図１３】
2011156681.tif 000016
【図１４】
2011156681.tif 000017